(57)【要約】      （修正有）【課題】ワンプッシュで上ブタが開いて箸が取り出し、収納更には分解して洗いやすい箸箱を提供する。【解決手段】上ブタ１０の長手方向の一端付近の内周垂直短手方向に予め嵌め込み凹部２ヶ所が上ブタ切り欠け部と共に設けられ、更にもう一端付近の内周垂直短手方向に予め上ブタ側引っ掛かり留め凸部が２ヶ所それぞれ箸箱用上ブタ内周壁面に設けられている。また、下箱の長手方向の一端付近の外周垂直短手方向に予め嵌め込み凸部２ヶ所が下箱切り欠け部と共に設けられ、更にもう一端付近の外周垂直短手方向には予め下箱側引っ掛かり留め凸部が２ヶ所それぞれ箸箱用下箱外周壁面に設けられている。そして箸を収納する箸収納底と箸を取り出す箸取り出し開口部２５が設けられている。【選択図】図３
0003179375.tif 000002
【実用新案登録請求の範囲】
【請求項１】
長手方向の一端付近の内周垂直短手方向に予め嵌め込み凹部（１１）２ヶ所が上ブタ切り欠け部（１２）と共に設けられ、更にもう一端付近の内周垂直短手方向に予め上ブタ側引っ掛かり留め凸部（１３）が２ヶ所それぞれ箸箱用上ブタ内周壁面（１４）に設けられており、一方で長手方向の一端付近の外周垂直短手方向に予め嵌め込み凸部（２１）２ヶ所が下箱切り欠け部（２２）と共に設けられ、更にもう一端付近の外周垂直短手方向には予め下箱側引っ掛かり留め凸部（２３）が２ヶ所それぞれ箸箱用下箱外周壁面（２４）に設けられ、それぞれに設けられた該嵌め込み凹部（１１）２ヶ所と該嵌め込み凸部（２１）２ヶ所が各々合致迎合して開閉軸部位となり、一方の上ブタ側引っ掛かり留め凸部（１３）の２ヶ所と下箱側引っ掛かり留め凸部（２３）の２ヶ所とで上ブタ（１０）の開閉機構部位となり、該下箱側引っ掛かり留め凸部（２３）側端面に箸取り出し開口部（２５）を形成した事を特徴とする箸箱（１）。
【請求項２】
上ブタ天面（１５）が長手方向に凹形状として形成され、両端にそれぞれ弓なり形状凸部（１６）を２ヶ所設けた上ブタ（１０）である事を特徴とする請求項１に記載の箸箱（１）。
【考案の詳細な説明】
【技術分野】
【０００１】  本考案は、箸箱に関し、ワンプッシュで上ブタが開いて箸が取り出し、収納更には分解して洗いやすい箸箱に関するものである。
【背景技術】
【０００２】  従来、箸箱としては特に樹脂製のものとして、例えば、箸箱本体に形成した溝にフタをスライドさせてはめ込み開閉させるものや、単純に箸箱本体にフタを被せるタイプのもの、更に箸箱本体とフタがヒンジや引っ掛け部分によって分解も出来るようにしたものなどが知られている。【０００３】  一方でフタも箸箱本体もほぼ同形状とし、箸が収納出来る厚み分くり抜いて箸収納空間を形成させ、これらのフタと箸箱本体の端面部で軸状締結体を通して該軸状締結体の周りに回動開閉可能とした竹製箸箱が提案されている。
【先行技術文献】
【０００４】
【先行技術文献１】
実用新案登録第３０１８０１５号
【考案の概要】
【０００５】  しかしながら先に述べたフタを溝にスライドさせてはめ込み開閉せるものは、お湯などで洗ったりして少しフタや箸箱本体が変形すると、箸箱本体の溝にフタをはめ込む事が出来なくなる欠点が有った。また単純に箸箱本体にフタを被せるものはフタが外れないように箸箱本体の外周面とフタの内周面との隙間を調整するのが難しく、こちらも使用すればするほど、変形によってはまり込みが悪くなるという欠点が有った。又、箸箱本体とフタをヒンジ部分によって一体化、分解出来るものはヒンジ部分がすぐに欠けてその機能が無くなり、フタがどこかに紛れ込んで見つからない等の不具合も生じる大変不便なものであった。
【０００６】  更に上記先行技術文献１に示された実用新案登録の箸箱では、竹製であり、フタと箸箱端部において軸状締結体として一体化されているため、軸の回転に沿ってフタを回転開閉させるというものであるため、箸は取り出しにくく、また簡単に分解出来ないため箸が汚れて箸箱内部を使用後に洗浄する場合に非常に取り扱いにくいという問題点が有った。もちろん竹製のため、大量生産で安価に提供も出来ない欠点も有った。
【問題を解決するための手段】
【０００７】  上記課題を解決するために本考案は、長手方向の一端付近の内周垂直短手方向に予め嵌め込み凹部（１１）２ヶ所が上ブタ切り欠け部（１２）と共に設けられ、更にもう一端付近の内周垂直短手方向に予め上ブタ側引っ掛かり留め凸部（１３）が２ヶ所それぞれ箸箱用上ブタ内周壁面（１４）に設けられており、一方で長手方向の一端付近の外周垂直短手方向に予め嵌め込み凸部（２１）２ヶ所が下箱切り欠け部（２２）と共に設けられ、更にもう一端付近の外周垂直短手方向には予め下箱側引っ掛かり留め凸部（２３）が２ヶ所それぞれ箸箱用下箱外周壁面（２４）に設けられ、それぞれに設けられた該嵌め込み凹部（１１）２ヶ所と該嵌め込み凸部（２１）２ヶ所が各々合致迎合して開閉軸部位となり、一方の上ブタ側引っ掛かり留め凸部（１３）の２ヶ所と下箱側引っ掛かり留め凸部（２３）の２ヶ所とで上ブタ（１０）の開閉機構部位となり、該下箱側引っ掛かり留め凸部（２３）側端面に箸取り出し開口部（２５）を形成している。
本考案は以上のような構成からなる箸箱である。
【０００８】  なおそのうち、上ブタ天面（１５）が長手方向に凹形状として形成され、両端にそれぞれ弓なり形状凸部（１６）を２ヶ所設けた上ブタ（１０）であることを更に特徴としている箸箱でもある。
【考案の効果】
【０００９】  本考案の箸箱は以上のような構成であるため、予め箸を収納して上ブタと下箱を留めて閉じてある箸箱において上ブタの上ブタ切り欠け部を押すだけで、上ブタ側引っ掛かり留め凸部の２ヶ所と下箱側引っ掛かり留め凸部の２ヶ所とで上ブタの開閉機構部、いわゆるロック部位が外れて、それぞれに設けられた該嵌め込み凹部２ヶ所と該嵌め込み凸部２ヶ所が各々合致迎合して開閉軸部位となった軸を中心に回転して箸取り出し開口部が現れてそこから箸を簡単に取り出す事が出来る優れたものとなる。
【００１０】  箸を収納する際も先の動作と同様に上ブタの切り欠け部を押して、箸取り出し開口部から箸を揃えて入れて上ブタ及び下箱の各引っ掛かり留め凸部の開閉機構部でロックされて収納する事が簡単に出来る優れたものとなる。
【００１１】  もちろん、上ブタと下箱は簡単に取り外す事が出来るため、使用後、別々に洗浄する事が出来るので清潔に保つ事の出来る衛生的な箸箱となる。
【００１２】  なお、上ブタの上ブタ天面が長手方向に凹形状として形成され、両端にそれぞれ弓なり形状凸部を２ヶ所設けた上ブタにも出来るため、その際は上ブタ自体が箸置きにもなる優れた箸箱となる。
【図面の簡単な説明】
【００１３】
【図１】本考案の上ブタの一実施例を示す斜視図である。
【図２】本考案の下箱の一実施例を示す斜視図である。
【図３】本考案の上ブタと下箱を組み合わせた箸箱の一実施例を示す斜視図である。
【図４】本考案の上ブタの別の一実施例を示す斜視図である。
【考案を実施するための形態】
【００１４】  本考案における箸箱の大きさ、形状、デザイン、材質、製造方法等は特に限定されないが、通常は樹脂成形で大量生産出来るものが好ましい。
【００１５】  上ブタ側引っ掛かり留め凸部の２ヶ所と下箱側引っ掛かり留め凸部の２ヶ所とで形成される上ブタの開閉機構部、いわゆるロック部位の凸部の大きさや形状は、それぞれ上ブタ内周壁面及び下箱外周壁面からその出来る隙間の程度にもよるが、０．３ｍｍから０．５ｍｍ程度の範囲のものが好ましい。その程度であれば力も適切な加減でロックの開閉が出来るものになるからである。
【００１６】  又、上ブタに設けられた嵌め込み凹部２ヶ所と下箱に設けられた嵌め込み凸部２ヶ所が各々合致迎合して開閉軸部位とするために、凹部が少し大きめで凸部が凹部より少し小さい形状にし、凹み深さと凸の出っ張り厚みもほぼ同じ程度とするのが好ましい。
【００１７】  なお、上ブタ切り欠け部と下箱切り欠け部において特に下箱切り欠け部の切り欠け角度によって箸取り出し開口部の開く大きさが決定されるため、その角度は５度から３０度程度嵌め込み凹部付近から切り欠くのが良い。
【００１８】  なお、上ブタ天面を箸置きとする際における、上ブタ天面が長手方向に凹形状として形成された凹み深さも、両端に形成させる２ヶ所の弓なり形状凸部の大きさに応じて適宜決める事が好ましい。
以下、実施例と図に基づき説明する。
【実施例】
【００１９】  以下、本考案の一実施例を図１、図２、図３、及び図４で説明するがこれによって本考案は何ら限定されるものではない。【００２０】  図１は、本考案の上ブタ（１０）の一例を示す斜視図である。特に内周側を説明する裏面斜視方向からの図である。長手方向の一端付近の内周垂直短手方向に予め嵌め込み凹部（１１）２ヶ所が上ブタ切り欠け部（１２）と共に設けられ、更にもう一端付近の内周垂直短手方向に予め上ブタ側引っ掛かり留め凸部（１３）が２ヶ所それぞれ箸箱用上ブタ内周壁面（１４）に設けられている。【００２１】  図２は、下箱（２０）の斜視図であり、こちらも長手方向の一端付近の外周垂直短手方向に予め嵌め込み凸部（２１）２ヶ所が下箱切り欠け部（２２）と共に設けられ、更にもう一端付近の外周垂直短手方向には予め下箱側引っ掛かり留め凸部（２３）が２ヶ所それぞれ箸箱用下箱外周壁面（２４）に設けられている。そして箸を収納する箸収納底（２６）と箸を取り出す箸取り出し開口部（２５）が設けられている。【００２２】  図３は、本考案の図１の上ブタ（１０）と図２の下箱（２０）を組み合わせた本考案の箸箱（１）の一例を示す組み立て斜視図であり、上ブタの開閉機構部のロックが解除されて、箸取り出し開口部（２５）が開いている事を示している。【００２３】  図４は、本考案のうち、上ブタを箸置きとしたものの一実施例を示す斜視図である。上ブタ天面（１５）が長手方向に凹形状として形成され、両端にそれぞれ弓なり形状凸部（１６）を２ヶ所設けた上に箸（３０）を置いて箸置きとしている。
【符号の説明】
【００２４】  １  箸箱    １０  上ブタ    １１  嵌め込み凹部
１２  上ブタ切り欠け部    １３  上ブタ側引っ掛かり留め凸部
１４  上ブタ内周壁面    １５  上ブタ天面
１６  弓なり形状    ２０  下箱    ２１嵌め込み凸部
２２  下箱切り欠け部    ２３  下箱側引っ掛かり留め凸部
２４  下箱外周壁面    ２５  箸取り出し開口部    ２６  箸収納底
３０  箸
【図１】
0003179375.tif 000003
【図２】
0003179375.tif 000004
【図３】
0003179375.tif 000005
【図４】
0003179375.tif 000006